(57)【要約】【課題】ワイド画面のモニタを採用し、ワイド画面の領域を有効に活用することによって電子ズーム時に全体画像に対するズーム部分を確認できるデジタルカメラ及び表示方法を提供する。【解決手段】デジタルカメラの液晶モニタ１７は６４０×３６０画素のアスペクト比１６：９のワイドアスペクト画面構成となっており、撮像素子は通常のアスペクト比４：３の撮像画像を作成する。通常時は液晶モニタ１７の通常のアスペクト比４：３（４８０×３６０画素）の領域に撮像画像を表示し、電子ズーム時、通常のアスペクト比４：３（４８０×３６０画素）の領域にズーム画像を表示するとともに、残りの領域に１６０×１２０画素の全体画像と、ズーム領域を示す枠を表示する。【選択図】図７
2006197055.tif 000002
【特許請求の範囲】
【請求項１】
電子ズーム機能を備え、所定のアスペクト比の画像を撮影し記録し再生することのできるデジタルカメラの表示方法において、
前記所定のアスペクト比よりも大きいワイドアスペクト比のモニタを有し、
撮影モード時に、通常は前記ワイドアスペクト比のモニタ上の、前記所定のアスペクト比の領域にスルー画像として撮像画像を表示し、
光学ズーム時に、前記ワイドアスペクト比のモニタ上の、前記所定のアスペクト比の領域にスルー画像として光学ズームされた撮像画像を表示し、
電子ズーム撮影時に、電子ズーム操作に伴い、電子ズームされた画像を前記所定のアスペクト比の領域にスルー画像として表示するとともに、前記光学ズームされた撮像画像の全体画像を枠とともに該モニタの残りの領域に表示することによって、ズーム撮影時に全体画像のズーム部分を確認できるようにしたことを特徴とするデジタルカメラの表示方法。
【請求項２】
電子ズーム機能を備え、所定のアスペクト比の画像を撮影し記録し再生することのできるデジタルカメラにおいて、
前記所定のアスペクト比よりも大きいワイドアスペクト比のモニタを有し、
撮影モード時に、通常は前記ワイドアスペクト比のモニタ上の、前記所定のアスペクト比の領域にスルー画像として撮像画像を表示する手段と、
光学ズーム時に、前記ワイドアスペクト比のモニタ上の、前記所定のアスペクト比の領域にスルー画像として光学ズームされた撮像画像を表示する手段と、
電子ズーム時に、電子ズーム操作に伴い、電子ズームされた画像を前記所定のアスペクト比の領域にスルー画像として表示するとともに、前記光学ズームされた撮像画像の全体画像を枠とともに該モニタの残りの領域に表示する手段と、
を備えたことを特徴とするデジタルカメラ。
【請求項３】
所定のアスペクト比の画像を撮影し記録し再生することのできるデジタルカメラにおいて、
前記所定のアスペクト比よりも大きいワイドアスペクト比のモニタを有し、
再生時に、前記ワイドアスペクト比のモニタ上の、前記所定のアスペクト比の領域に再生画像を表示する手段と、
ズーム再生時に、ズーム操作に伴い、ズームされた再生画像を前記所定のアスペクト比の領域に再生表示するとともに、再生画像の全体画像を、ズーム領域を示す枠とともに該モニタの残りの領域に表示する手段と、
を備えたことを特徴とするデジタルカメラ。
【請求項４】
所定のアスペクト比の画像を撮影し記録し再生することができ、前記所定のアスペクト比よりも大きいワイドアスペクト比のモニタを有するデジタルカメラにおいて、
撮影した本画像と、その縮小画像を記録し、
再生時に、前記ワイドアスペクト比のモニタ上の、前記所定のアスペクト比の領域に前記縮小画像を再生表示する手段と、
ズーム再生時に、ズーム操作に伴い、前記本画像を縮小して得られた再生画像を前記所定のアスペクト比の領域に再生表示するとともに、再生画像の全体画像を、ズーム領域を示す枠とともに該モニタの残りの領域に表示する手段と、
を備えたことを特徴とするデジタルカメラ。
【請求項５】
請求項４記載のデジタルカメラにおいて、前記本画像を縮小して得られた再生画像がズーム操作に伴い本画像のサイズを超えたときは、該本画像を拡大して得られた再生画像を前記所定のアスペクト比の領域に再生表示することを特徴とするデジタルカメラ。
【請求項６】
所定のアスペクト比の画像を撮影し記録し再生することができ、前記所定のアスペクト比よりも大きいワイドアスペクト比のモニタを有するデジタルカメラにおいて、
撮影した本画像と、その縮小画像を記録し、
再生時に、前記ワイドアスペクト比のモニタ上の、前記所定のアスペクト比の領域に前記縮小画像を再生表示する手段と、
ズーム再生時に、ズーム操作に伴い、前記縮小画像を拡大して得られた再生画像を前記所定のアスペクト比の領域に再生表示するとともに、再生画像の全体画像を、ズーム領域を示す枠とともに該モニタの残りの領域に表示する手段と、
を備えたことを特徴とするデジタルカメラ。
【請求項７】
請求項６記載のデジタルカメラにおいて、ズーム操作に伴い前記本画像を縮小して得られた再生画像が本画像のサイズに達したときは、該本画像を拡大して得られた再生画像を前記所定のアスペクト比の領域に再生表示することを特徴とするデジタルカメラ。
【請求項８】
所定のアスペクト比の画像を撮影し記録し再生することのできるデジタルカメラの表示方法において、
前記所定のアスペクト比よりも大きいワイドアスペクト比のモニタを有し、
再生時に、前記ワイドアスペクト比のモニタ上の、前記所定のアスペクト比の領域に再生画像を表示し、
ズーム再生時に、ズーム操作に伴い、ズームされた再生画像を前記所定のアスペクト比の領域に再生表示するとともに、再生画像の全体画像を、ズーム領域を示す枠とともに該モニタの残りの領域に表示することによって、ズーム再生時に全体画像のズーム部分を確認できるようにしたことを特徴とするデジタルカメラの表示方法。
【請求項９】
所定アスペクト比の画像を撮影し記録し再生することができ、前記所定アスペクト比よりも大きいワイドアスペクト比のモニタを有するデジタルカメラにおいて、
撮影した本画像と、その縮小画像であるサムネイルを記録する手段と、
再生時に、前記モニタ上の所定アスペクト比の領域に前記本画像を再生表示する手段と、
ズーム再生時に、ズーム操作に伴い、前記本画像から作られたズーム率に応じた再生画像を前記所定のアスペクト比の領域に再生表示する手段と、
前記サムネイルを、ズーム領域を示す枠とともに該モニタの残りの領域に表示する手段と、
を備えたことを特徴とするデジタルカメラ。
【請求項１０】
所定アスペクト比の画像を撮影し記録し再生することができ、前記所定アスペクト比よりも大きいワイドアスペクト比のモニタを有するデジタルカメラの表示方法において、
撮影した本画像と、その縮小画像であるサムネイルを記録し、
再生時に、前記モニタ上の所定アスペクト比の領域に前記本画像を再生表示し、
ズーム再生時に、ズーム操作に伴い、前記本画像から作られたズーム率に応じた再生画像を前記所定のアスペクト比の領域に再生表示するとともに、前記サムネイルを、ズーム領域を示す枠とともに該モニタの残りの領域に表示する、
ことを特徴とする特徴とするデジタルカメラの表示方法。
【請求項１１】
前記枠は移動可能であることを特徴とする請求項２ないし７または９いずれかに記載のデジタルカメラ。
【請求項１２】
前記枠は移動可能であることを特徴とする請求項１または８または１０いずれかに記載の表示方法。
【請求項１３】
請求項１または８または１０のいずれかに記載の表示方法をデジタルカメラのコンピュータに実行させるプログラム。
【発明の詳細な説明】
【技術分野】
【０００１】
本発明はデジタルカメラ、カメラ付き携帯電話などの撮像装置に関し、特に、横長液晶などのワイド画面を備えた撮像装置及びワイド画面を活用した表示方法に関する。
【背景技術】
【０００２】
デジタルカメラやカメラ付き携帯電話において、撮像素子の画素数が１００万画素、２００万画素、・・・５００万画素、・・・と拡大しつつあり、それに伴い画像を表示するモニタも１．８インチ、２インチ、２．５インチ、・・・と大型化が進んでいる。テレビジョン受像機においてはアスペクト比が１６：９のいわゆるワイド画面が普及しているが、デジタルカメラやカメラ付き携帯電話においては４：３のアスペクト比が主流である。これは、撮像素子がワイド画面に対応していないので、表示だけワイド化してもあまり意味がないからであった。
【０００３】
ワイド画面を撮影できるようにするとともにワイド画面のモニタを設けたという先行技術がある（例えば、特許文献１参照）。
【０００４】
また、パノラマ表示のためにワイド画面のモニタを設けたものがある（例えば、特許文献２参照）。
【０００５】
なお、画像と他の情報を並列して表示するためにワイド画面のモニタを設けたという技術を本件出願人が出願している（例えば特願２００３−３８４４３４号）（未公開特許文献）。
他方、デジタルカメラにはズーム機能が付いているが、電子ズームをする際に、現在拡大している範囲が元画像の全体画像に対してどのあたりかを一目で確認できるようにした電子カメラがある（例えば特許文献３参照）。
【特許文献１】特開平１１−４３９８号
【特許文献２】特開２００３−１８９１５３号
【特許文献３】特開２００４−７２２０７号
【発明の開示】
【発明が解決しようとする課題】
【０００６】
特許文献１記載の技術は、１コマ１コマの画像をリアルタイムで自動的に張り合わせることが可能であり、ユーザのカメラ操作により得た広い視野角の映像から、ワイドでかつ高精細な静止画を作りあげるデジタルワイドカメラを実現するというものであるが、ワイド画面のモニタ全面に画像を表示するため、ワイド画面の領域を有効に活用する工夫はなされていない。
【０００７】
特許文献２記載の技術は、パノラマ映像を撮影すると共に、ワイド画面のディスプレイにおいてパノラマ画像を観察することを可能とし、立体感を確認しながら撮影することを可能とした撮像装置を提供するものであり、やはりワイド画面のモニタ全面に画像を表示するため、ワイド画面の領域を有効に活用する工夫はなされていない。
【０００８】
未公開特許文献の技術は、ワイド画面に対応する液晶とアスペクト比１６：９の表示ドライバとを備えた携帯電話であって、アスペクト比１６：９で映像を全画面再生し、この再生表示中にメールを受信すると、アスペクト比４：３の表示ドライバに切り換えてメールを表示するというものであり、ワイド画面にアスペクト比４：３の画像とメールを同時に表示するというワイド画面の領域を有効に活用する工夫がなされている。しかしながら、ワイド画面にアスペクト比４：３の画像を表示した空き領域に表示しているのはメール情報であり、デジタルカメラとして特有の工夫はなされていない。
【０００９】
特許文献３記載の技術は、電子ズーム機能を有し、撮像手段を介して取得された映像は画像表示手段の画面に表示される。撮影者が倍率変更操作手段を操作してズーム操作を行うと、その操作指示に従って電子ズーム手段が作動し、画像表示手段の画面上において撮像に係る映像の拡大画像が表示される。このとき、最大画角撮影時の画像（すなわち、ズーム無しの画像）の表示範囲に対して、現在表示中の拡大画像がどの領域範囲を切り出して拡大しているかを示す拡大範囲情報が拡大画像に重ね表示されるというものであり、ワイド画面の領域を有効に活用する工夫はなされていない。
【００１０】
この発明は上記事情に鑑みて成されたもので、デジタルカメラにワイド画面のモニタを採用し、ワイド画面の領域を有効に活用することによって全体表示画像のズーム時に全体画像のズーム部分を確認できるようにしたものである。
【課題を解決するための手段】
【００１１】
上記課題を解決するため、請求項１記載の発明では、電子ズーム機能を備え、所定のアスペクト比の画像を撮影し記録し再生することのできるデジタルカメラの表示方法において、所定のアスペクト比よりも大きいワイドアスペクト比のモニタを有し、撮影モード時に、通常は前記ワイドアスペクト比のモニタ上の、前記所定のアスペクト比の領域にスルー画像として撮像画像を表示し、光学ズーム時に、前記ワイドアスペクト比のモニタ上の、前記所定のアスペクト比の領域にスルー画像として光学ズームされた撮像画像を表示し、電子ズーム撮影時に、電子ズーム操作に伴い、電子ズームされた画像を前記所定のアスペクト比の領域にスルー画像として表示するとともに、前記光学ズームされた撮像画像の全体画像を枠とともに該モニタの残りの領域に表示することによって、ズーム撮影時に全体画像のズーム部分を確認できるようにしたことを特徴とするデジタルカメラの表示方法を提供するものである。  
これにより、ワイドアスペクト比のモニタに通常アスペクト比の画像を表示し、表示領域を有効に活用しながらズーム撮影時に全体画像のズーム部分を確認できる。
【００１２】
また、上記課題を解決するため、請求項２記載の発明では、電子ズーム機能を備え、所定のアスペクト比の画像を撮影し記録し再生することのできるデジタルカメラにおいて、所定のアスペクト比よりも大きいワイドアスペクト比のモニタを有し、撮影モード時に、通常は前記ワイドアスペクト比のモニタ上の、前記所定のアスペクト比の領域にスルー画像として撮像画像を表示する手段と、光学ズーム時に、前記ワイドアスペクト比のモニタ上の、前記所定のアスペクト比の領域にスルー画像として光学ズームされた撮像画像を表示する手段と、電子ズーム時に、電子ズーム操作に伴い、電子ズームされた画像を前記所定のアスペクト比の領域にスルー画像として表示するとともに、前記光学ズームされた撮像画像の全体画像を枠とともに該モニタの残りの領域に表示する手段と、を備えたことを特徴とするデジタルカメラを提供するものである。  
これにより、ワイドアスペクト比のモニタに通常アスペクト比の画像を表示し、表示領域を有効に活用しながらズーム撮影時に全体画像のズーム部分を確認できるデジタルカメラを得ることができる。
【００１３】
また、上記課題を解決するため、請求項３記載の発明では、所定のアスペクト比の画像を撮影し記録し再生することのできるデジタルカメラにおいて、所定のアスペクト比よりも大きいワイドアスペクト比のモニタを有し、再生時に、前記ワイドアスペクト比のモニタ上の、前記所定のアスペクト比の領域に再生画像を表示する手段と、ズーム再生時に、ズーム操作に伴い、ズームされた再生画像を前記所定のアスペクト比の領域に再生表示するとともに、再生画像の全体画像を、ズーム領域を示す枠とともに該モニタの残りの領域に表示する手段と、を備えたことを特徴とするデジタルカメラを提供するものである。  
これにより、ワイドアスペクト比のモニタに通常アスペクト比の画像を表示し、表示領域を有効に活用しながらズーム再生時に全体画像のズーム部分を確認できるデジタルカメラを得ることができる。
【００１４】
また、上記課題を解決するため、請求項４記載の発明では、所定のアスペクト比の画像を撮影し記録し再生することができ、前記所定のアスペクト比よりも大きいワイドアスペクト比のモニタを有するデジタルカメラにおいて、撮影した本画像と、その縮小画像を記録し、再生時に、前記ワイドアスペクト比のモニタ上の、前記所定のアスペクト比の領域に前記縮小画像を再生表示する手段と、ズーム再生時に、ズーム操作に伴い、前記本画像を縮小して得られた再生画像を前記所定のアスペクト比の領域に再生表示するとともに、再生画像の全体画像を、ズーム領域を示す枠とともに該モニタの残りの領域に表示する手段と、を備えたことを特徴とするデジタルカメラを提供するものである。  
これにより、ワイドアスペクト比のモニタに通常アスペクト比の画像を表示し、表示領域を有効に活用しながらズーム再生時に全体画像のズーム部分を確認できるデジタルカメラを得ることができるとともに、再生画像は本画像を縮小して得るので、モニタ上で画像を拡大しても画像がきれいなデジタルカメラを得ることができる。
【００１５】
また、上記課題を解決するため、請求項５記載の発明では、請求項４記載のデジタルカメラにおいて、ズーム操作に伴い前記本画像を縮小して得られた再生画像が本画像のサイズを超えたときは、該本画像を拡大して得られた再生画像を前記所定のアスペクト比の領域に再生表示することを特徴とするデジタルカメラを提供するものである。  
これにより、モニタ上で表示画像を拡大表示する画像は本画像を縮小して得て、拡大率が上がるに連れて本画像の縮小率を下げていき、本画像のサイズを超えたときは、今度は本画像を拡大して再生画像を得るので、表示画像のサイズが本画像のサイズを超えるまでは実質的に画質が低下しない。
【００１６】
また、上記課題を解決するため、請求項６記載の発明では、所定のアスペクト比の画像を撮影し記録し再生することができ、前記所定のアスペクト比よりも大きいワイドアスペクト比のモニタを有するデジタルカメラにおいて、撮影した本画像と、その縮小画像を記録し、再生時、前記ワイドアスペクト比のモニタ上の、前記所定のアスペクト比の領域に前記縮小画像を再生表示する手段と、ズーム再生時に、ズーム操作に伴い、前記縮小画像を拡大して得られた再生画像を前記所定のアスペクト比の領域に再生表示するとともに、再生画像の全体画像を、ズーム領域を示す枠とともに該モニタの残りの領域に表示する手段と、を備えたことを特徴とするデジタルカメラを提供するものである。  
これにより、ズーム再生時に、予め記憶している縮小画像を用いて拡大表示処理を行うので、処理速度を向上させることができる。
【００１７】
また、上記課題を解決するため、請求項７記載の発明では、請求項６記載のデジタルカメラにおいて、ズーム操作に伴い前記本画像を縮小して得られた再生画像が本画像のサイズに達したときは、該本画像を拡大して得られた再生画像を前記所定のアスペクト比の領域に再生表示することを特徴とするデジタルカメラを提供するものである。  
これにより、上記請求項６記載の発明において処理速度を向上しながら、表示画像が確定したときは本画像から作成した画像に置き換えるので、きれいな再生画像を得ることができる。
【００１８】
また、上記課題を解決するため、請求項８記載の発明では、所定のアスペクト比の画像を撮影し記録し再生することのできるデジタルカメラの表示方法において、前記所定のアスペクト比よりも大きいワイドアスペクト比のモニタを有し、再生時に、前記ワイドアスペクト比のモニタ上の、前記所定のアスペクト比の領域に再生画像を表示し、ズーム再生時に、ズーム操作に伴い、ズームされた再生画像を前記所定のアスペクト比の領域に再生表示するとともに、再生画像の全体画像を、ズーム領域を示す枠とともに該モニタの残りの領域に表示することによって、ズーム再生時に全体画像のズーム部分を確認できるようにしたことを特徴とするデジタルカメラの表示方法を提供するものである。  
これにより、ワイドアスペクト比のモニタに通常アスペクト比の画像を表示し、表示領域を有効に活用しながらズーム再生時に全体画像のズーム部分を確認することができる。
【００１９】
また、上記課題を解決するため、請求項９記載の発明では、所定アスペクト比の画像を撮影し記録し再生することができ、前記所定アスペクト比よりも大きいワイドアスペクト比のモニタを有するデジタルカメラにおいて、撮影した本画像と、その縮小画像であるサムネイルを記録する手段と、再生時に、前記モニタ上の所定アスペクト比の領域に前記本画像を再生表示する手段と、ズーム再生時に、ズーム操作に伴い、前記本画像から作られたズーム率に応じた再生画像を前記所定のアスペクト比の領域に再生表示する手段と、前記サムネイルを、ズーム領域を示す枠とともに該モニタの残りの領域に表示する手段と、を備えたことを特徴とするデジタルカメラを提供するものである。  
これにより、予め記憶しているサムネイルを使って全体画像として表示するので、処理速度を向上するデジタルカメラを得ることができる。
【００２０】
また、上記課題を解決するため、請求項１０記載の発明では、所定アスペクト比の画像を撮影し記録し再生することができ、前記所定アスペクト比よりも大きいワイドアスペクト比のモニタを有するデジタルカメラの表示方法において、撮影した本画像と、その縮小画像であるサムネイルを記録し、再生時に、前記モニタ上の所定アスペクト比の領域に前記本画像を再生表示し、ズーム再生時に、ズーム操作に伴い、前記本画像から作られたズーム率に応じた再生画像を前記所定のアスペクト比の領域に再生表示するとともに、前記サムネイルを、ズーム領域を示す枠とともに該モニタの残りの領域に表示する、ことを特徴とする特徴とする表示方法を提供するものである。  
これにより、予め記憶しているサムネイルを使って全体画像として表示するので、処理速度を向上することができる。
【００２１】
また、上記課題を解決するため、請求項１１記載の発明では、枠は移動可能であることを特徴とする請求項２ないし７または９いずれかに記載のデジタルカメラを提供するものである。  
これにより、ワイドアスペクト比のモニタに通常アスペクト比の画像を表示し、表示領域を有効に活用しながら全体画像の中のどの部分を拡大するかを選択することができる。
【００２２】
また、上記課題を解決するため、請求項１２記載の発明では、枠は移動可能であることを特徴とする請求項１または８または１０いずれかに記載の表示方法を提供するものである。  
これにより、ワイドアスペクト比のモニタに通常アスペクト比の画像を表示し、表示領域を有効に活用しながら全体画像の中のどの部分を拡大するかを選択することができる。
【００２３】
また、上記課題を解決するため、請求項１３記載の発明では、請求項１または８または１０いずれかに記載の表示方法をデジタルカメラのコンピュータに実行させるプログラムを提供するものである。  
これにより、ワイドアスペクト比のモニタに通常アスペクト比の画像を表示し、表示領域を有効に活用しながらズーム撮影時に全体画像のズーム部分を確認できるようにデジタルカメラを制御することができる。
【発明の効果】
【００２４】
請求項１ないし３記載の発明によれば、撮影時に、ワイド画面の領域を有効に活用することによって全体を確認しながら電子ズームできる。  
請求項４ないし８記載の発明によれば、再生時に、ワイド画面の領域を有効に活用することによって全体を確認しながら表示画像拡大再生ができる。
請求項９または１０記載の発明によれば、撮影した本画像とその縮小画像であるサムネイルを記録しておき、ズーム再生時、ズーム操作に伴い、本画像から作られたズーム率に応じた再生画像を所定のアスペクト比の領域に再生表示すると同時に、サムネイルをズーム領域を示す枠とともに該モニタの残りの領域に表示するようにしたので、全体画像を作成しなくてもサムネイルを使うことで処理速度が上がるとともに、ワイド画面の領域を有効に活用することによってズーム領域を全体画像を確認しながら決めることができるという効果を奏する。  
請求項１１または１２記載の発明によれば、撮影時又は再生時のズーム処理時に、ワイド画面の領域を有効に活用することによってズーム領域を全体画像を確認しながら決めることができる。  
請求項１３記載の発明によれば、撮影時または再生時に、ワイド画面の領域を有効に活用することによって全体を確認しながらズームできるようにデジタルカメラを制御することができる。
【発明を実施するための最良の形態】
【００２５】
（実施形態１）  
図１はデジタルカメラ１の外観図であり、図１（ａ）、（ｂ）は、デジタルカメラ１の正面図及び背面図、図１（ｃ）は、デジタルカメラ１の底面側斜視図である。  
これらの図において、デジタルカメラ１は、箱形の本体２の前面に沈胴式のレンズ鏡筒３、ストロボ発光窓４、ファインダ前面窓５及び収音穴６などを配置すると共に、本体２の上面に電源スイッチ７及びシャッターボタン８などを配置し、さらに、本体２の背面にファインダ後面窓９、撮影モード／再生モード切り換えスイッチ１０、ズームキー１１、ＭＥＮＵボタン１２、カーソルキー（上下左右方向移動ボタン）１３、ＳＥＴボタン１４、ＤＩＳＰボタン１５、拡声穴１６及び液晶モニタ１７（モニタ画面）などを配置し、加えて、本体２の底面に蓋１８を設け、この蓋１８を開くことによって本体２の内部に実装されたバッテリ１９や大容量の記憶媒体２０（たとえば、カード型フラッシュメモリ（ＣＦ）(Compact Flash)やカード型ハードディスク（ＨＤＤ）(Hard Disk Drive)など）を着脱できるようになっている。
【００２６】
前記液晶モニタ１７は、例えばアスペクト比１６：９のワイド画面で構成されている。後述する撮像素子はアスペクト比４：３の画像を作成するので、通常の画像表示時には余りの領域ができる。通常の画像表示時に画像を引き伸ばして全面表示してもよいし、余りの領域に日付や画素数などの情報表示を行ってもよい。
図１（ｂ）において、ＭＥＮＵボタン１２は各種メニューを表示させるためのもので、撮影モード時に操作すると、撮影画素数の設定、撮影画質（圧縮率の低い（画質の高い）方からファイン、ノーマル、エコノミー）の設定、静止画／動画／音声録音の切換、セルフタイマー、ストロボ、ホワイトバランスなどの各種撮影条件の設定を行うことができる。また再生モード時に操作すると、画面の自動送り（スライドショー）、プロテクトの設定、印刷枚数の設定（ＤＰＯＦ）(Digital Print Order Format)、画像の回転、トリミング、リサイズなどの設定を行うことができる。
また、同図においてＤＩＳＰボタン１５は、モニタ画面上に各種情報を表示するためのもので、画素数、画質、静止画／動画／音声の区別、日付、時間、電池残量、メモリ残量などを表示する。もう一度ＤＩＳＰボタンを押すと情報表示は消えて画像表示だけとなる。
【００２７】
図２は、デジタルカメラ１の内部ブロック図である。この図において、デジタルカメラ１は、機能別に、音声入力系２１、撮像系２２、制御系２３、音声出力系２４、画像ファイル記憶系２５、表示系２６及び操作系２７などに分類することができる。
【００２８】
これらの系毎に説明すると、音声入力系２１は、本体前面の収音穴６の近くに配置されたマイク２８と、このマイク２８で拾った音を増幅するアンプ２９と、アンプ２９で増幅されたアナログの音声信号をデジタル信号に変換するＡ／Ｄ変換部３０と、デジタル変換された音声信号を一時的に記憶する音声メモリ３１とを備える。
【００２９】
撮像系２２は、本体前面のレンズ鏡筒３に収められたズーム機能及びオートフォーカス機能付の撮影レンズ群３２と、この撮影レンズ群３２を通過した被写体像を二次元の画像信号に変換するＣＣＤ（Charge Coupled Devices）やＣＭＯＳ（Complementary Metal Oxide Semiconductor）などからなる電子撮像部３３と、この電子撮像部３３からの画像信号に対して所要の画像処理を施す映像処理部３４と、画像処理後の画像信号を一時的に記臆する画像メモリ３５とを備えるとともに、レンズ鏡筒３の不図示のフォーカス機構を駆動するフォーカス駆動部３６と、同ズーム機構を駆動するズーム駆動部３７と、本体前面のストロボ発光窓４に設けられたストロボ発光部３８と、このストロボ発光部３８を駆動するストロボ駆動部３９と、これらの各部（電子撮像部３３、映像処理部３４、フォーカス駆動部３６、ズーム駆動部３７、ストロボ駆動部３９）を制御するための撮影制御部４０とを備える。
【００３０】
制御系２３は、上記の各系を制御してデジタルカメラ１の動作を集中的にコントロールする制御回路（ＣＰＵ）４１と、このＣＰＵ４１の動作に必要な各種プログラムやデータを不揮発的に記憶するプログラムメモリ４２と、画像データ記憶用の内蔵フラッシュメモリ（データメモリ）４３とを備える。
【００３１】
音声出力系２４は、ＣＰＵ４１から適宜に出力される音声データをアナログの音声信号に変換するＤ／Ａ変換部４４と、この音声信号を増幅するアンプ４５と、増幅された音声信号を拡声するために本体背面の拡声穴１６の近くに設けられたスピーカ４６とを備える。
【００３２】
画像ファイル記憶系２５は、インターフェース部４７と、このインターフェース部４７に着脱可能に接続される記憶媒体２０とを備える。
【００３３】
表示系２６は、ＣＰＵ４１から適宜に出力される表示データを一時的に保持するビデオメモリ（ＶＲＡＭ）４８を含む表示制御部４９と、表示制御部４９の出力信号を表示する液晶モニタ１７とを備える。
【００３４】
操作系２７は、本体２の各部に設けられた様々な操作ボタン類、すなわち、シャッターボタン８、撮影モード／再生モード切り換えスイッチ１０、ズームキー１１、ＭＥＮＵボタン１２、カーソルキー（上下左右方向移動ボタン）１３、ＳＥＴボタン１４、ＤＩＳＰボタン１５を含む操作入力部５０と、この操作入力部５０からの操作信号をＣＰＵ４１に入力するための入力回路５１とを備える。
【００３５】
図３は撮像素子から表示モニタまでのデータの流れを示す図である。前記電子撮像部３３のＣＣＤ、ＣＭＯＳなどの撮像素子は多数のフォトダイオードの前面にフィルターを備えることで色を得ている。このフィルターには「原色フィルター」と「補色フィルター」の2種類があり、原色フィルターはR（Red）、G（Green）、B（Blue）、補色フィルターはC（Cyan）、M（Magenta）、Y（Yellow）からなる。一般に３００万画素、５００万画素、・・・と呼ばれる画素数は、フォトダイオードの数である。
【００３６】
フォトダイオードがチャージした電荷は映像信号処理部３４でＡ／Ｄ変換され、撮像素子の画素に対応したベイヤーデータの形でいったん保持し、信号処理により輝度、色差マルチプレクス信号（Ｙ，Ｃｂ，Ｃｒデータ、Ｙ，Ｕ，Ｖともいう）を得る。そのＹ，Ｕ，Ｖデータ（以下、画像データ）が画像メモリ３５に記憶される。
【００３７】
画像の画素数構成としては、一般的に２５６０×１９２０、２０４８×１５３６、１６００×１２００、１０２４×７８６、８００×６００、６４０×４８０などが知られている。本実施の形態では、画像メモリ３５に記憶される画像データは、例えば輝度（Ｙ）データが１６００×１２００画素で構成され、色差（Ｕ，Ｖ）データがそれぞれ８００×６００画素で構成される。これは輝度信号のほうが人間の目に捉えられやすいため色差信号の情報量を減らしているためであるが、もちろん同数でもよい。このように構成された画像データを液晶モニタ１７に表示するために、演算により液晶モニタ１７の表示画素数に合わせたＲＧＢデータを作成しＶＲＡＭ４８に書き込む。従って撮像素子の画素数と液晶モニタの表示画素数は直接の対応関係はない。
【００３８】
液晶モニタ１７は各表示画素にＲＧＢのカラーフィルターが備えられており、図４（ａ）に示すようなデルタ配列や図４（ｂ）のストライプ配列が一般的である。
【００３９】
液晶モニタ１７はワイド画面で構成されており、画素数が６４０×３６０画素とすると、ストライプ配列の場合は横方向に６４０×３（Ｒ、Ｇ、Ｂ）画素が配列され、縦方向に３６０画素が配列されている。また、デルタ配列の場合は横方向に６４０画素、縦方向に３６０画素配列されている。デルタ配列は表示画素数が１／３となるが、色再現性は高い。
【００４０】
液晶モニタ１７は１６：９のワイド画面であるが、撮影されて作成される画像データは１６００×１２００画素の４：３のアスペクト比なので、画像メモリ３５は４：３の画像を記憶するよう構成されている。  
前記図３の画像メモリ３５のメモリ構成はデルタ配列の場合であるが、ストライプ配列の場合は図５（ａ）に示すようにＲ、Ｇ、Ｂそれぞれ１６００×１２００画素の画像メモリを有する。液晶モニタが１６００×３×１２００画素あれば、それをそのまま供給すればよく、本実施の態様のように液晶モニタ１７が６４０×３６０画素であれば図５（ｂ）に示すように適宜間引いて供給する。デルタ配列の場合は画像データをＹ，Ｕ，Ｖデータの形で保存し、表示時に演算によりＲＧＢデータを作成して直接表示制御部４９に送出する。
【００４１】
表示制御部３４内には６４０×３６０画素のＶＲＡＭ（表示バッファ）４８が備えられており、表示データはこのＶＲＡＭ４８に作成される。つまり液晶モニタ１７はこのＶＲＡＭ４８のデータをそのまま表示している。従って画像データが４：３の分しかなくても、ＶＲＡＭ４８は液晶モニタ１７に対応する画素数を有し、表示しない領域は例えば黒が書き込まれる。
【００４２】
ＪＰＥＧ(Joint Photographic Coding Experts Group)圧縮はＣＰＵ４１で行う。画像メモリ３５の画像データＹ，Ｕ，ＶそれぞれについてＪＰＥＧ圧縮を行い圧縮されたJPEG-Y,JPEG-U,JPEG-Vを一旦データメモリ４３に記憶した後、ＣＦ若しくはＨＤＤ２０に転送し保存する。
【００４３】
また、４８０×３６０画素の縮小画像も、１６０画素×１２０画素のサムネイルもそれぞれＪＰＥＧ圧縮されて一旦データメモリ４３に記憶した後、ＣＦ若しくはＨＤＤ２０に転送記憶し、前記本画像と関連付けて保存される。
【００４４】
図６はＣＦ若しくはＨＤＤ２０に保存される画像データの状態を示す図である。符号１００はＪＰＥＧ圧縮された画像のフォルダを示し、本画像１０１と、それを縮小した縮小画像１０２及びサムネイル１０３を有する（図６（ａ））。サムネイル１０３は他のデジタルカメラと互換性を保つために共通の規格で定められた縮小画像であり、縮小画像１０２は任意の縮小率で本画像を縮小した画像であって、一般的にサムネイルよりは大きく、例えばモニタの表示画面のサイズとほぼ一致する。また、サムネイルは画面を分割して複数画像をマルチ画面表示するときのサイズとほぼ一致することが多い。なお、ヘッダ１０４には、ファイル名、画素数、撮影日時、撮影条件等の情報が記憶される。
【００４５】
液晶モニタ１７には通常は縮小画像１０２を表示している。縮小画像１０２は本画像１０１を縮小したものであるから、基本的に補間処理を行っていないので画質の劣化は無い。ただし縮小するために間引き等を行って情報量が減っているので本画像の画質を表現できてはいない。  
再生時に拡大指示があると、縮小画像１０２を拡大して表示する場合と本画像１０１を縮小して表示する場合があるが、ここでは本画像１０１を縮小する場合を例にとって説明する。  
【００４６】
例えば、図６（ｂ）に示すように、本画像１０１が１６００×１２００画素とし、モニタ画面１７の表示サイズが４８０×３６０画素、縮小画像１０２のサイズが４８０×３６０画素であるとし更にサムネイルのサイズが１６０×１２０画素であるとする。モニタ画面１７に表示するには縮小画像１０２をそのまま表示すればよく、３×３個の９分割されたマルチ画面表示を行うにはサムネイルをそのまま表示すればよい。なお、モニタ画面１７の構成上、例えば３３０×２２０画素のように記憶されている画像の画素数と合わない場合があるが、そういう場合は適宜補間等の処理を行って画素数を合わせる。
また、拡大指示は、再生モード時にズームキー１１が操作されると再生表示している画像を拡大／縮小する。
【００４７】
図７は、上記デジタルカメラ１の撮影モードにおけるモニタ画面の表示状態を示す図であり、図７（ａ）はスルー画像が表示されている状態、図７（ｂ）は光学ズームでズーム拡大した状態、図７（ｃ）はズーム対象を囲うズーム枠を表示した状態、図７（ｄ）はズーム画像及び全体画像を示した状態を示す。また、図７（ｅ）は従来のズーム画像の表示方法を示す図である。
【００４８】
撮影時にズーム拡大していくと、最初は光学ズームで拡大画像が本画像データとして得られるが、更に拡大すると電子ズームに切り替わる。電子ズームは、画像データは確定され、電子的な補間処理によって拡大画像を得るものである。  
ズーム機能により、スルー画像（図７（ａ））がズーム拡大される際、光学ズーム（図７（ｂ））から電子ズームに切り替わると、画面上に枠Ｗを表示する（図７（ｃ））。電子ズームでの拡大率が１倍のときには表示領域と枠Ｗの領域は一致しているが、拡大率を上げていくに連れて全体画像に対する枠Ｗの大きさは小さくなっていく。この全体画像を領域Ｒ３に表示し、拡大画像を４：３の領域Ｒ１に表示する。すなわち、６４０×３６０画素の液晶モニタ１７の４８０×３６０画素の４：３の領域Ｒ１に拡大画像を表示し、残りの領域Ｒ３に１６０×１２０画素の全体画像を表示する（図７（ｄ））。
【００４９】
前記枠Ｗは移動可能である。例えばカーソルキー（上下左右方向移動ボタン）１３によって位置を移動させることができる。この実現手段は公知のトリミング時にトリミング枠を移動及び変更する技術をそのまま使用できる。
【００５０】
従来のズーム画像の表示方法では図７（ｅ）に示したようにズーム対象の画像が表示されるだけなので全体画像の中でのズーム対象の画像の位置づけが構図上よく分からなかったが、本発明の表示方法によれば上記図７（ｄ）に示したようにズーム拡大された対象画像と、縮小された全体画像を表示できるので、全体画像の中でのズーム対象の画像の位置づけを構図上で容易に把握できる。
【００５１】
図９は撮影モード時のズーム動作を説明するためのフローチャートである。このフローチャートは基本的にＣＰＵ４１が実行するものである。  
撮影モードにすると、電子撮像部３３で取り込んだ画像が液晶モニタ１７のアスペクト比４：３の領域Ｒ１（図７（ｄ）参照）にスルー画像表示される（ステップＳ１）。
【００５２】
ここでＣＰＵ４１はキー操作が行われたか否かを調べ、ズームキー以外のキー操作を行うと他の処理へ進むが、ズームキー１１で拡大操作が行われると（ステップＳ２）、光学ズームの範囲内かどうか判断し、光学ズームの範囲内であればステップＳ４に進み、そうでなければステップＳ５に進む（ステップＳ３）。
【００５３】
光学ズームの範囲内であれば、ＣＰＵ４１は撮影制御部４０に制御信号を送り、ズーム駆動部３７を駆動制御させてズームレンズ３を移動させ光学ズーム処理を行う。この場合は光学的に拡大を行うので画質の劣化はなく、本画像として拡大された画像が得られる（ステップＳ４）。
【００５４】
他方、光学ズームの範囲を超えると、ズームレンズ３での光学的拡大はできなくなり、本画像が固定され、補間拡大による電子ズーム処理に入る（ステップＳ５）。  
この段階では、アスペクト比４：３の領域（４８０×３６０画素）Ｒ１と残りの領域（１６０×３６０画素）Ｒ２の中のアスペクト比４：３の領域（１６０×１２０画素）Ｒ３には同じ画像が表示され、領域Ｒ３内の画像にズーム領域を示す枠Ｗを表示するが、枠Ｗの大きさと画面の大きさは一致している（ステップＳ６）。
【００５５】
ここで更にズームキー１１の拡大方向を押し続けると、領域Ｒ３内の枠Ｗが小さくなっていく。すなわち領域Ｒ１に表示される画像が拡大されていく。この状態で枠Ｗの位置を移動することができる。ＣＰＵ４１は操作入力部５０からの信号を調べ、カーソルキー１３による枠Ｗの移動操作がなされているか否かを調べ、カーソルキー１３による枠Ｗの移動が検出されたらステップＳ８に進み、そうでない場合はステップＳ９に進む（ステップＳ７）。
【００５６】
カーソルキー１３による枠Ｗの移動が検出されたら、枠Ｗの移動処理を行う。つまり、枠Ｗの表示位置を変えるとともに、本画像から切り出す画面の位置を変更し、電子ズーム処理を行ない（ステップＳ８）、枠Ｗと拡大画像を領域Ｒ１に表示してステップＳ２に戻る（ステップＳ９）。
【００５７】
再生時は、ＣＦ若しくはＨＤＤ２０に保存されていたJPEG-Y,JPEG-U,JPEG-Vを一旦データメモリ４３に記憶した後、ＣＰＵ４１によりＪＰＥＧ伸長処理を行って、Ｙ，Ｕ，Ｖからなる画像データを復元する。Ｒ、Ｇ、Ｂ構成の画像データに再生してもよい。
【００５８】
また、上記図１０に示したフローチャートのステップＳ９は、ステップＳ５またはＳ６またはＳ８で作成された表示画像をＶＲＡＭ４８に転送し表示させるステップである。一般に表示画像の作成処理はデータメモリ４３内のワークエリアを用いて行うが、直接ＶＲＡＭ４８に書き込んでも構わない。
【００５９】
図８は、デジタルカメラ１の再生モードにおけるモニタ画面の表示状態を示す図であり、図８（ａ）は再生画像が表示されている状態、図８（ｂ）はズームキーを操作した状態、図８（ｃ）はズーム拡大した再生画像及び再生画像を示した状態を示す。
【００６０】
再生モードにすると、再生画像の全体画像を６４０×３６０画素の液晶モニタ１７の４８０×３６０画素の４：３の領域Ｒ１に表示し、ズームキー１１を操作すると画面上に枠Ｗを表示する。表示の拡大率が１倍のときには表示領域と枠Ｗの領域は一致しているが、拡大率を挙げて行くに連れて全体画像に対する枠Ｗの大きさは小さくなっていく。この全体画像を縮小して領域Ｒ３に表示し、拡大画像を４：３の領域Ｒ１に表示する。すなわち、６４０×３６０画素の液晶モニタ１７の４８０×３６０画素の４：３の領域Ｒ１に拡大画像を表示し、残りの領域Ｒ３に１６０×１２０画素の全体画像を表示する。
【００６１】
前記枠Ｗは移動可能である。例えばカーソルキー（上下左右方向移動ボタン）１３によって位置を移動させることができる。この実現手段は公知のトリミング時にトリミング枠を移動及び変更する技術をそのまま使用できる。
【００６２】
図１０は、再生モード時の再生画面拡大動作を説明するためのフローチャートである。このフローチャートは基本的にＣＰＵ４１が実行するものである。
再生モードにして保存している画像の中から適宜画像を選択し（ステップＴ１）、液晶モニタ１７に表示させる。このとき実際は縮小画像１０２を液晶モニタの領域Ｒ１に表示している。本画像でなく縮小画像１０２を用いるのは、その方が処理が簡単なことと、液晶モニタ１７の表示画素数が縮小画像１０２の画素数で十分だからである（ステップＴ２）。  
【００６３】
ここでズームキー１１による拡大指示がなされると（ステップＴ３）、まずは縮小画像１０２を拡大して領域Ｒ１に表示し、本画像は領域Ｒ３に枠Ｗとともに全体画像として表示する。拡大率が１倍の間は枠Ｗの大きさと全体画像の大きさは一致している（ステップＴ４，Ｔ６）。
【００６４】
拡大表示処理に先立ち、拡大すると拡大画像が本画像１０１のサイズを超えるかどうか判断する（ステップＴ５）。拡大画像のサイズが本画像のサイズを超えるまでは、縮小画像１０２を拡大して表示している（ステップＴ６）が、本画像１０１のサイズを超えると、本画像１０１を拡大して表示する（ステップＴ７）。
【００６５】
なお、ズームキー１１で縮小操作がなされると表示画像の縮小処理を行う。これは既に拡大された画像の拡大率を下げるという意味であって、最初の再生画像（拡大率１倍）以下に縮小はしない。ただし技術的には縮小も可能であるし、サムネイル一覧表示に切り換えても良い。サムネイル一覧表示を行う場合は、通常アスペクト比の領域Ｒ１だけでなく全画面にサムネイルを表示すると、一層ワイドアスペクト比の液晶モニタ１７を活用することができる（ステップＴ９）。
【００６６】
ステップＴ１０は、ステップＴ６またはＴ７またはＴ８で作成された表示画像をＶＲＡＭ４８に転送し表示させるステップである。一般に表示画像の作成処理はデータメモリ４３内のワークエリアを用いて行うが、直接ＶＲＡＭ４８に書き込んでも構わない。更に、キー判断ステップＴ３においてズームキーの操作が離された（離してから所定時間経過した）ことが判断されると、縮小画像１０２を拡大して表示していた表示画像を、本画像１０１を直接縮小若しくは拡大した画像と置き換える。これによって、途中の処理を速くしながら、最終的に表示する画像の品質を上げることができる。
【００６７】
（変形例）  
上記実施の形態では、再生時に表示画像を拡大していくとき、縮小画像１０２を拡大していったが、他の実施の形態として本画像１０１を縮小して表示させることができる。すなわち、１６００×１２００画素の本画像を縮小して４８０×３６０画素の液晶モニタ１７に表示し、表示拡大の指示に応じて縮小率を下げていき。そして、本画像と同じサイズを超えて更に拡大指示があるときは、本画像を拡大して表示していくようにする。
【００６８】
（実施形態２）  
図１１は本発明を適用したカメラ付き携帯電話２００の蓋を開いた状態の正面図に相当する外観図である。  
図示のように蓋部２０２は本体部２０３に対し第１ヒンジ部２０１を回転軸として開閉可能に配置されているほか、第２ヒンジ部２１２を軸（図示せず）に回転軸として矢印βに示すように回転可能になっている。また、符号２０６は表示部を示す。  
また、符号２０９はシャッターキー、符号２８５は再生モードキー、符号２８３は撮影モードキー、符号２８１はカーソルキー（上下左右方向移動ボタン）、符号２８２は決定キー、符号２８４は本体側面に設けられたズームキーを示す。
【００６９】
カメラ付き携帯電話２００のカメラ部分に係わる内部回路及び動作については、上記実施の形態と同様であるので省略する。  
しかして、表示部２０６は１６：９のアスペクト比の画像を表示可能な４２８×２４０ドットの液晶モニタを備えている。４：３のアスペクト比の画像を表示するときは３２０×２４０ドットの表示領域を用いる。  
３２０×２４０画素の４：３のアスペクト比の領域にズーム画像を表示し、残りの領域に１４４×１０８画素の４：３のアスペクト比の領域に全体画像を、ズーム領域を示す枠とともに表示することができる。
【００７０】
なお、上記各実施の態様において枠という用語を用いているが、線で囲まれている四角形に限定されるものではなく、内部と外部を区別できるものであればよい。例えば内部と外部の表示画質、表示色、表示態様などを異ならせて区別するものも含むものとする。
【図面の簡単な説明】
【００７１】
【図１】図１はデジタルカメラの外観図であり、図１（ａ）、（ｂ）は、デジタルカメラの正面図及び背面図、図１（ｃ）は、デジタルカメラの底面側斜視図である。
【図２】デジタルカメラの内部ブロック図である。
【図３】撮像素子から表示モニタまでのデータの流れを示す図である。
【図４】液晶モニタの画素配列を示す図であり、図４（ａ）はデルタ配列の例、図４（ｂ）はストライプ配列の例を示す。
【図５】図５（ａ）は画像メモリの一例を示す図、図５（ｂ）は表示バッファの一例を示す図である。
【図６】ＣＦ若しくはＨＤＤに保存される画像データの状態を示す図である。
【図７】デジタルカメラの撮影モードにおけるモニタ画面の表示状態を示す図である。
【図８】デジタルカメラの再生モードにおけるモニタ画面の表示状態を示す図である。
【図９】撮影モードにおけるズーム動作を説明するためのフローチャートである。
【図１０】再生モードにおける拡大再生の動作を説明するためのフローチャートである。
【図１１】本発明をカメラ付き携帯電話に適用した場合の実施の態様を示す図である。
【符号の説明】
【００７２】
１      デジタルカメラ
３      ズームレンズ
１１    ズームキー（拡大縮小キー）
１３    カーソルキー（上下左右方向移動ボタン）
１７    液晶モニタ（
２０    記憶媒体（ＣＦ若しくはＨＤＤ）
２１    音声入力系
２２    撮像系
２３    制御系
２４    音声出力系
２５    画像ファイル記憶系
２６    表示系
２７    操作系
３２    撮影レンズ群
３３    電子撮像部
３４    映像処理部
３５    画像メモリ
４０    撮影制御部
４１    ＣＰＵ
４３    データメモリ
４８    ＶＲＡＭ（ビデオメモリ）
１００  画像のフォルダ
１０１  本画像
１０２  縮小画像
１０３  サムネイル
２００  カメラ付き携帯電話
２０６  表示部
２８１  カーソルキー
２８４  ズームキー
【図１】
2006197055.tif 000003
【図２】
2006197055.tif 000004
【図３】
2006197055.tif 000005
【図４】
2006197055.tif 000006
【図５】
2006197055.tif 000007
【図６】
2006197055.tif 000008
【図７】
2006197055.tif 000009
【図８】
2006197055.tif 000010
【図９】
2006197055.tif 000011
【図１０】
2006197055.tif 000012
【図１１】
2006197055.tif 000013